(57)【要約】【課題】空気調和機の室内ユニット内で、左右端側面近傍に電装関連部品が配置され、電装部品間を接続するリード線が長くなると共に、構成の複雑化・部品点数が多い構造を簡素化し、安全で安価な、さらには室内ユニット内の限られた空間を有効に利用でき、熱交換器の有効長さを大きくとることのできる空気調和機を提供するものである。【解決手段】吸引排気装置および前記電装品収納箱を、前記空気調和機の室内ユニット内の左端近傍か右端近傍のいずれか一方に寄せて前記室内ユニットに収納することにより、電装部品の集約を行う構造としたものである。【選択図】図３
2011075263.tif 000002
【特許請求の範囲】
【請求項１】
塵埃除去手段による塵埃を吸引すると共にその塵埃を外部に排出する吸引排気装置を内部に具備した空気調和機において、前記吸引排気装置と電装品を収納する電装品収納箱とを並べて配設し、前記吸引排気装置および前記電装品収納箱を、前記空気調和機の室内ユニット内の左端近傍か右端近傍のいずれか一方に寄せて前記室内ユニットに収納する構造としたことを特徴とする空気調和機。
【発明の詳細な説明】
【技術分野】
【０００１】
本発明は、空気調和機に関し、さらに詳しくは前記空気調和機の室内機ユニット内部の構成に関するものである。
【背景技術】
【０００２】
従来の空気調和機は、図４及び図５に示すようなものである。同図に示すように室内ユニット１の正面外装はパネル２で覆われている。図５において室内ユニット１内の右側面近傍には室外ユニットと繋ぐ接続電線の端子台及び、室内ユニットのファンの回転駆動するモーターの制御や、室内ユニットに搭載各種センサーの信号を受信処理する機能等を備える制御基板を収納する電装品収納箱３が設置されている。室内ユニット１における熱交換器の上流側に配され吸引される空気中の塵埃を捕集するフィルタ４と、前記フィルタ４に付着した塵埃を吸引する塵埃除去手段６と、前記塵埃除去手段６を通して前記塵埃を吸引すると共にその塵埃を外部に排出する吸引排気装置５が左側面近傍に設置されている。図６において吸引排気装置５は難燃性樹脂で成型されたケーシング７で構成され、外装にナノイー発生装置８をネジで固定できる構造を呈し、吸引排気装置５用の制御基板９ａ、及びナノイーの発生を制御する制御基板９ｂを収納する為の箱が一体形成され、外側から難燃性樹脂で成型された蓋１０ａ・１０ｂで覆っている。
【先行技術文献】
【特許文献】
【０００３】
【特許文献１】国際公開第０４／０８１４６１
【発明の概要】
【発明が解決しようとする課題】
【０００４】
しかしながら、上記従来の構成では、電装関連部品が室内ユニットの左右の側面に配置され、この電装関連部品間を接続するリード線が長くなると共に、構成の複雑化・部品点数が増大するなどの課題を有していた。
【０００５】
また、これらの構成品の占めるスペースにより、空気調和機の性能に直接影響する室内熱交換器のスペースが狭められ、性能の上昇を見込むのが困難になっていた。
【０００６】
本発明はこのような従来の課題を解決するものであり、塵埃除去手段による塵埃を吸引すると共にその塵埃を外部に排出する吸引排気装置を内部に具備した空気調和機において、前記吸引排気装置と電装品を収納する電装品収納箱とを並べて配設し、前記吸引排気装置および前記電装品収納箱を、前記空気調和機の室内ユニット内の左端近傍か右端近傍のいずれか一方に寄せて前記室内ユニットに収納する構造とする事により、室内ユニット内の限られた空間を有効に利用し、簡単な構成で性能を低下させない空気調和機を提供することを目的とする。
【課題を解決するための手段】
【０００７】
前記従来の課題を解決するために、本発明の空気調和機は、塵埃除去手段による塵埃を吸引すると共にその塵埃を外部に排出する吸引排気装置を内部に具備した空気調和機において、前記吸引排気装置と電装品を収納する電装品収納箱とを並べて配設し、前記吸引排気装置および前記電装品収納箱を、前記空気調和機の室内ユニット内の左端近傍か右端近傍のいずれか一方に寄せて前記室内ユニットに収納する構造としたものである。
【０００８】
この構成をなすことにより、内部配置が簡素化され、熱交換器の有効長さが増え、簡単
な構成で性能を低下させない空気調和機を提供することができる。
【発明の効果】
【０００９】
本発明の空気調和機は、吸引排気装置と電装関連部品を集中収納する電装品収納箱とを並べて配設し、前記電装品収納箱を、前記空気調和機の室内ユニット内の左端近傍か右端近傍のいずれか一方に寄せて前記室内ユニットに収納する構造とすることにより、簡単な構成で性能を低下させない空気調和機を提供することができる。
【図面の簡単な説明】
【００１０】
【図１】本発明の空気調和機室内ユニットの正面図
【図２】本発明の空気調和機室内ユニットの内部構造図
【図３】本発明の実施の形態１における電装品収納箱の分解斜視図
【図４】従来の空気調和機室内ユニットの正面図
【図５】従来の空気調和機室内ユニットの内部構造図
【図６】従来の空気調和機の吸引排気装置を示す図
【発明を実施するための形態】
【００１１】
以下に、本発明の実施形態について、図面を参照しながら説明する。なお、この実施の形態によって本発明が限定されるものではない。
【００１２】
（実施の形態１）
図１は、本発明の第１の実施の形態における空気調和機の室内ユニットの正面図で、図２は室内ユニット１のパネル２を外した状態の内部構造図である。
【００１３】
図２に示すように、室内ユニット１内の右側面近傍には、電装品を収納する電装品収納箱３が設置され、前期電装品収納箱３の左横にはエアフィルター４に付着した塵埃を吸引して排出するための吸引排気装置５が設置されている。
【００１４】
図３は、空気調和機の電装品収納箱の分解斜視図である。従来の技術の図６と同じ構成要素については同じ符号を用い、説明を省略する。
【００１５】
以上のように構成された空気調和機の電装品収納箱について、以下その動作、作用を説明する。
【００１６】
まず、図１は室内ユニット１であり、パネル２で正面側の外装を呈している。図２において室内ユニット１内の右側面近傍に、電装品を収納する電装品収納箱３が設置され、核電装品収納箱の左横に吸引排気装置５が設置されている。図３において、電装品収納箱３は難燃性樹脂成型品で、外装にナノイー発生装置８を装着できる構造を呈しナノイー発生装置８を固定している。電装品収納箱３は外側から鉄板製デンゲンカバ−１３で片面を覆うと共に室外ユニットと繋ぐ接続電線の端子台を配設している。また鉄板製デンゲンカバ−１３に相対する側は鉄板製デンゲンカバ−１４ａと１４ｂで覆っている。前記デンゲンカバ−１４ａと１４ｂの内側は電源コード１１や、室内ユニットのファンや風向変更羽根を回転駆動するモーターの制御機能、室内ユニットに搭載された各種センサーの信号を処理する機能に、塵埃除去手段用制御機能を付加した制御基板１２が収納固定されている。ナノイーの発生を制御する制御基板１０も収納可能な箱形状が構成されている。以上のように、本実施の形態において電装部品を装着した吸引排気装置５を電装品収納箱横に配置することにより、電装部品間を接続するリード線が短縮でき、また電装部品を不燃材料で覆う構造が容易でり、安全で安価な電装品収納箱が構成できる。
【００１７】
さらに、室内ユニット内の限られた空間を有効に利用することができ、熱交換器の有効
長さを大きくとることができるため、性能を落とすことなく、簡単な構成の室内ユニットを提供することができる。
【産業上の利用可能性】
【００１８】
以上のように、本発明にかかる空気調和機の電装品収納箱と吸引排気装置を並べて配置したことで、電装品を集約した構成にすることが可能で、安全で安価な空気調和機とすることができる。
【符号の説明】
【００１９】
１  室内ユニット
３  電装品収納箱
５  吸引排気装置
【図１】
2011075263.tif 000003
【図２】
2011075263.tif 000004
【図３】
2011075263.tif 000005
【図４】
2011075263.tif 000006
【図５】
2011075263.tif 000007
【図６】
2011075263.tif 000008